(57)【特許請求の範囲】
【請求項１】
ジョブに基づいて転写媒体への画像の出力を行う画像形成部と、
前記画像形成部を制御する制御部と、を有し、
前記制御部は、前記ジョブの出力において、全シートの出力と、指定されたシートの出力とが可能であり、指定されたシートの出力を行う場合、指定された転写媒体を差し替え媒体用として出力するか否かによって、出力制御内容を変更し、
前記制御部は、指定されたシートを差し替え媒体用として出力する場合、全シート出力時シート情報の内容によって、差し替え媒体用以外と同じ出力制御内容とするか、差し替え媒体用以外と異なる出力制御内容とするかを選択することを特徴とする画像形成装置。
【請求項２】
ジョブに基づいて転写媒体への画像の出力を行う画像形成部と、
前記画像形成部を制御する制御部と、を有し、
前記制御部は、前記ジョブの出力において、全シートの出力と、指定されたシートの出力とが可能であり、指定されたシートの出力を行う場合、指定された転写媒体を差し替え媒体用として出力するか否かによって、出力制御内容を変更し、
前記制御部は、指定されたシートを差し替え媒体として出力する場合、全シート出力時シート情報の内容によって、全シート出力時シート情報に基づいた出力か、全シート出力時シート情報を一時的に解除した出力かを選択することを特徴とする画像形成装置。
【請求項３】
前記制御部は、全シート出力時シート情報を一時的に解除した前記出力では、指定されたシート出力時のシート情報によって出力を行うことを特徴とする請求項２記載の画像形成装置。
【請求項４】
前記制御部は、指定されたシートを差し替え媒体用以外で出力する場合、全シート出力時シート情報によって、指定されたシートを出力することを特徴とする請求項２または３に記載の画像形成装置。
【請求項５】
前記全シート出力時シート情報に、綴じ処理モードを含むことを特徴とする請求項１〜４のいずれか１項に記載の画像形成装置。
【請求項６】
前記制御部は、指定されたシートを差し替え媒体として出力する場合、前記全シート出力時シート情報に綴じ処理モードを含む際は、綴じ処理モードを一時的に解除して出力を行うことを特徴とする請求項５記載の画像形成装置。
【請求項７】
前記制御部は、綴じ処理がサブセットの綴じ処理であり、指定されたシートを差し替え媒体用として出力する場合、サブセットの綴じ処理の範囲と一致するシート範囲が指定されたときは綴じ処理モードは解除しないで出力することを特徴とする請求項５記載の画像形成装置。
【請求項８】
全シート出力時シート情報に、ページスタンプが含まれることを特徴とする請求項１〜７のいずれか１項に記載の画像形成装置。
【請求項９】
前記制御部は、指定されたシートを差し替え媒体用として出力する場合、全シート出力時シート情報のシート単位のページ番号を付与するページスタンプによってジョブを制御することを特徴とする請求項８に記載の画像形成装置。
【請求項１０】
前記制御部は、前記全シート出力時シート情報に小冊子モード時の内側オフセットが設定されている場合、
指定されたシートを差し替え媒体用として出力する際は、全シート出力時のシート情報におけるシート単位の内側オフセット値でジョブを制御することを特徴とする請求項１〜９のいずれか１項に記載の画像形成装置。
【請求項１１】
前記制御部は、指定された用紙を差し替え用として出力するかを設定可能であることを特徴とする請求項１〜１０のいずれか１項に記載の画像形成装置。
【請求項１２】
前記制御部は、出力方法がウェイト／プルーフモードで出力する場合、
ジョブの確認用の表示部に表示されるジョブモードは、設定部数以外は操作対象外にすることを特徴とする請求項１〜１１のいずれか１項に記載の画像形成装置。
【請求項１３】
前記制御部は、不要タブ排紙モードが設定されている場合、指定されたシートを差し替え媒体用として出力する際は、全シート出力時の不要タブの計算方法に加え、指定されたシート範囲外のインデックス媒体も不要タブ媒体として制御することを特徴とする請求項１〜１２のいずれか１項に記載の画像形成装置。
【請求項１４】
前記制御部は、当該画像形成装置外からの指示に従って全シートの出力か、指定されたシートの出力を行うかを設定することを特徴とする請求項１〜１３のいずれか１項に記載の画像形成装置。
【請求項１５】
前記制御部は、当該画像形成装置外からの指示に従って、指定された用紙を差し替え媒体として出力することを特徴とする請求項１４記載の画像形成装置。
【請求項１６】
ジョブに基づいて転写媒体への画像の出力を行う画像形成装置を管理する管理装置であって、
前記画像形成装置に対する制御を行う管理制御部を有し、
前記管理制御部は、前記画像形成装置に対し、全シートの出力と、指定されたシートの出力の実行とを指示可能であり、
指定されたシートの出力の指示を行う場合、指定された用紙を差し替え媒体用として出力するか否かによって、出力制御の指示内容を変更し、
前記管理制御部は、指定されたシートを差し替え媒体用として出力する場合、全シート出力時シート情報の内容によって、差し替え媒体用以外と同じ出力制御内容とするか、差し替え媒体用以外と異なる出力制御内容とするかを選択することを特徴とする画像形成管理装置。
【請求項１７】
ジョブに基づいて転写媒体への画像の出力を行う画像形成装置を管理する管理装置であって、
前記画像形成装置に対する制御を行う管理制御部を有し、
前記管理制御部は、前記画像形成装置に対し、全シートの出力と、指定されたシートの出力の実行とを指示可能であり、
指定されたシートの出力の指示を行う場合、指定された用紙を差し替え媒体用として出力するか否かによって、出力制御の指示内容を変更し、
前記管理制御部は、指定されたシートを差し替え媒体として出力する場合、全シート出力時シート情報の内容によって、全シート出力時シート情報に基づいた出力か、全シート出力時シート情報を一時的に解除した出力かを選択することを特徴とする画像形成管理装置。
【請求項１８】
前記管理制御部は、前記画像形成装置に対し、指定された用紙を差し替え媒体用として出力する指示を実行可能であることを特徴とする請求項１６または１７に記載の画像形成管理装置。
【請求項１９】
ジョブに基づいて転写媒体への画像の出力を行う画像形成装置の制御を行う制御部で実行される画像形成制御プログラムであって、
画像形成装置におけるジョブの出力として、全シートの出力と、指定されたシートの出力とを選択するステップと、
指定されたシートの出力を行う場合、指定された用紙を差し替え媒体用として出力するか否かによって、出力制御内容を変更した制御を行うステップと、を有し、
指定されたシートを差し替え媒体用として出力する場合、全シート出力時シート情報の内容によって、差し替え媒体用以外と同じ出力制御内容とするか、差し替え媒体用以外と異なる出力制御内容とするかを選択することを特徴とする画像形成制御プログラム。
【請求項２０】
ジョブに基づいて転写媒体への画像の出力を行う画像形成装置の制御を行う制御部で実行される画像形成制御プログラムであって、
画像形成装置におけるジョブの出力として、全シートの出力と、指定されたシートの出力とを選択するステップと、
指定されたシートの出力を行う場合、指定された用紙を差し替え媒体用として出力するか否かによって、出力制御内容を変更した制御を行うステップと、を有し、
指定されたシートを差し替え媒体用として出力する場合、全シート出力時シート情報の内容によって全シート出力時シート情報に基づいた出力か、全シート出力時シート情報を一時的に解除した出力を行うかを選択するステップを有することを特徴とする画像形成制御プログラム。
【発明の詳細な説明】
【技術分野】
【０００１】
この発明は、ジョブの出力に際し、全シートの出力と、指定されたシートの出力とが可能な画像形成装置、前記画像形成装置を管理する画像形成管理装置および前記画像形成装置を制御する画像形成制御プログラムに関するものである。
【背景技術】
【０００２】
画像形成装置では、ジョブの画像データに基づいて、画像形成部で画像を像担持体に書き込んで転写媒体に転写することでジョブの出力を行っている。
ジョブの出力では、通常は、ジョブ全体の出力を行う他、全ページを出力するのではなく、出力したいページのみを指定して出力することができる。出力したいページを指定する場合、カンマやハイフンなどを用いてページを指定して出力することができる。例えば、１，３，１０−２０と指定した場合、１ページ目と３ページ目と１０〜２０ページ目が転写媒体に出力される。
【０００３】
なお、ページを指定して出力する場合、差し替え用として出力したいことがある。具体的には、保存されたジョブを出力した後で、転写媒体に汚れや色味がおかしいなどの不具合が発生してしまうと、そのシート（ヤレ紙）のみを差し替えたい場合がある。例えば、２ページ目と５ページ目を差し替えたい場合は、２，５と指定して、再度、指定されたシートのみを出力する。
【先行技術文献】
【特許文献】
【０００４】
【特許文献１】特開２００６−９５８４９号公報
【特許文献２】特開２０１１−１４０２０４号公報
【発明の概要】
【発明が解決しようとする課題】
【０００５】
ところで、ジョブの全シートを出力する場合、全シートを対象にした全シート出力時シート情報に基づいて出力が行われる。全シート出力時シート情報には、ステープルや冊子などの綴じ処理モードやページスタンプが含まれている場合がある。差し替え用に指定されたシートを出力する場合、設定されたステープルなどに基づきジョブが動作してしまうと、２，５ページ目がステープルされてしまい、ステープル針を取り除かなければならず面倒になる。一方で、指定された２，５のページに基づきページスタンプが動作してしまうと、２ページ目のページ番号が１となり、５ページ目のページ番号が２になって出力され、差し替えることができなくなってしまう。
【０００６】
なお、特許文献１では、変更前の文書の用紙枚数をカウントすることにより、変更する区間（ページ数など）を特定し、その区間に対応する変更等を加えた文書のみを印刷し、当該区間の印刷結果を差し替えることを可能にしている。しかし、ジョブの出力におけるシート情報を変更するものではなく、上記課題を解決することはできない。
また、特許文献２では、ジョブの途中で一部のページの出力設定を変更して出力することを可能にしている。しかし、特許文献２の方法では、ユーザーが手動で設定を変更することが必要であり、作業が面倒となり、また操作内容に誤りがあって所望の出力を行えないおそれがある。
【０００７】
本発明は、上記事情を背景としてなされたものであり、指定されたシート出力を差し替え用として出力するときに適正な制御を行うことができる画像形成装置、画像形成管理装置および画像形成制御プログラムを提供することを目的とする。
【課題を解決するための手段】
【０００８】
すなわち、本発明の画像形成装置のうち第１の形態の発明は、
ジョブに基づいて転写媒体への画像の出力を行う画像形成部と、
前記画像形成部を制御する制御部と、を有し、
前記制御部は、前記ジョブの出力において、全シートの出力と、指定されたシートの出力とが可能であり、指定されたシートの出力を行う場合、指定された転写媒体を差し替え媒体用として出力するか否かによって、出力制御内容を変更し、
前記制御部は、指定されたシートを差し替え媒体用として出力する場合、全シート出力時シート情報の内容によって、差し替え媒体用以外と同じ出力制御内容とするか、差し替え媒体用以外と異なる出力制御内容とするかを選択することを特徴とする。
【００１０】
本発明の画像形成装置のうち第２の形態の発明は、ジョブに基づいて転写媒体への画像の出力を行う画像形成部と、
前記画像形成部を制御する制御部と、を有し、
前記制御部は、前記ジョブの出力において、全シートの出力と、指定されたシートの出力とが可能であり、指定されたシートの出力を行う場合、指定された転写媒体を差し替え媒体用として出力するか否かによって、出力制御内容を変更し、
前記制御部は、指定されたシートを差し替え媒体として出力する場合、全シート出力時シート情報の内容によって、全シート出力時シート情報に基づいた出力か、全シート出力時シート情報を一時的に解除した出力かを選択することを特徴とする。
【００１１】
他の形態の画像形成性装置の本発明は、前記形態の本発明において、前記制御部は、全シート出力時シート情報を一時的に解除した前記出力では、指定されたシート出力時のシート情報によって出力を行うことを特徴とする。
【００１２】
他の形態の画像形成性装置の本発明は、前記形態の本発明において、前記制御部は、指定されたシートを差し替え媒体用以外で出力する場合、全シート出力時シート情報によって、指定されたシートを出力することを特徴とする。
【００１３】
他の形態の画像形成性装置の本発明は、前記形態の本発明において、前記全シート出力時シート情報に、綴じ処理モードを含むことを特徴とする。
【００１４】
他の形態の画像形成性装置の本発明は、前記形態の本発明において、前記制御部は、指定されたシートを差し替え媒体として出力する場合、前記全シート出力時シート情報に綴じ処理モードを含む際は、綴じ処理モードを一時的に解除して出力を行うことを特徴とする。
【００１５】
他の形態の画像形成性装置の本発明は、前記形態の本発明において、前記制御部は、綴じ処理がサブセットの綴じ処理であり、指定されたシートを差し替え媒体用として出力する場合、サブセットの綴じ処理の範囲と一致するシート範囲が指定されたときは綴じ処理モードは解除しないで出力することを特徴とする。
【００１６】
他の形態の画像形成性装置の本発明は、前記形態の本発明において、全シート出力時シート情報に、ページスタンプが含まれることを特徴とする。
【００１７】
他の形態の画像形成性装置の本発明は、前記形態の本発明において、前記制御部は、指定されたシートを差し替え媒体用として出力する場合、全シート出力時シート情報のシート単位のページ番号を付与するページスタンプによってジョブを制御することを特徴とする。
【００１８】
他の形態の画像形成性装置の本発明は、前記形態の本発明において、前記制御部は、前記全シート出力時シート情報に小冊子モード時の内側オフセットが設定されている場合、
指定されたシートを差し替え媒体用として出力する際は、全シート出力時のシート情報におけるシート単位の内側オフセット値でジョブを制御することを特徴とする。
【００１９】
他の形態の画像形成性装置の本発明は、前記形態の本発明において、前記制御部は、指定された用紙を差し替え用として出力するかを設定可能であることを特徴とする。
【００２０】
他の形態の画像形成性装置の本発明は、前記形態の本発明において、前記制御部は、出力方法がウェイト／プルーフモードで出力する場合、ジョブの確認用の表示部に表示されるジョブモードは、設定部数以外は操作対象外にすることを特徴とする。
【００２１】
他の形態の画像形成性装置の本発明は、前記形態の本発明において、前記制御部は、不要タブ排紙モードが設定されている場合、指定されたシートを差し替え媒体用として出力する際は、全シート出力時の不要タブの計算方法に加え、指定されたシート範囲外のインデックス媒体も不要タブ媒体として制御することを特徴とする。
【００２３】
他の形態の画像形成性装置の本発明は、前記形態の本発明において、前記制御部は、当該画像形成装置外からの指示に従って全シートの出力か、指定されたシートの出力を行うかを設定することを特徴とすることを特徴とする。
【００２４】
他の形態の画像形成性装置の本発明は、前記形態の本発明において、前記制御部は、当該画像形成装置外からの指示に従って、指定された用紙を差し替え媒体として出力することを特徴とする。
【００２５】
本発明の画像形成管理装置は、ジョブに基づいて転写媒体への画像の出力を行う画像形成装置を管理する管理装置であって、
前記画像形成装置に対する制御を行う管理制御部を有し、
前記管理制御部は、前記画像形成装置に対し、全シートの出力と、指定されたシートの出力の実行とを指示可能であり、
指定されたシートの出力の指示を行う場合、指定された用紙を差し替え媒体用として出力するか否かによって、出力制御の指示内容を変更し、
前記管理制御部は、指定されたシートを差し替え媒体用として出力する場合、全シート出力時シート情報の内容によって、差し替え媒体用以外と同じ出力制御内容とするか、差し替え媒体用以外と異なる出力制御内容とするかを選択することを特徴とする。
他の形態の画像形成管理装置の発明は、ジョブに基づいて転写媒体への画像の出力を行う画像形成装置を管理する管理装置であって、
前記画像形成装置に対する制御を行う管理制御部を有し、
前記管理制御部は、前記画像形成装置に対し、全シートの出力と、指定されたシートの出力の実行とを指示可能であり、
指定されたシートの出力の指示を行う場合、指定された用紙を差し替え媒体用として出力するか否かによって、出力制御の指示内容を変更し、
前記管理制御部は、指定されたシートを差し替え媒体として出力する場合、全シート出力時シート情報の内容によって、全シート出力時シート情報に基づいた出力か、全シート出力時シート情報を一時的に解除した出力かを選択することを特徴とする
【００２６】
他の形態の画像形成管理装置の本発明は、前記形態の本発明において、前記管理制御部は、前記画像形成装置に対し、指定された用紙を差し替え媒体用として出力する指示を実行可能であることを特徴とする。
【００２７】
本発明の画像形成制御プログラムのうち、第１の形態は、ジョブに基づいて転写媒体への画像の出力を行う画像形成装置の制御を行う制御部で実行される画像形成制御プログラムであって、
画像形成装置におけるジョブの出力として、全シートの出力と、指定されたシートの出力とを選択するステップと、
指定されたシートの出力を行う場合、指定された用紙を差し替え媒体用として出力するか否かによって、出力制御内容を変更した制御を行うステップと、を有し、
指定されたシートを差し替え媒体用として出力する場合、全シート出力時シート情報の内容によって、差し替え媒体用以外と同じ出力制御内容とするか、差し替え媒体用以外と異なる出力制御内容とするかを選択することを特徴とする。
【００２８】
他の形態の画像形成制御プログラムの本発明は、ジョブに基づいて転写媒体への画像の出力を行う画像形成装置の制御を行う制御部で実行される画像形成制御プログラムであって、
画像形成装置におけるジョブの出力として、全シートの出力と、指定されたシートの出力とを選択するステップと、
指定されたシートの出力を行う場合、指定された用紙を差し替え媒体用として出力するか否かによって、出力制御内容を変更した制御を行うステップと、を有し、
指定されたシートを差し替え媒体用として出力する場合、全シート出力時シート情報の内容によって全シート出力時シート情報に基づいた出力か、全シート出力時シート情報を一時的に解除した出力を行うかを選択するステップを有することを特徴とする。
【発明の効果】
【００２９】
以上説明したように、本発明によれば、指定されたシートを差し替え媒体用として出力する場合、指定されたシートを差し替え用媒体として出力しないときと異なる制御内容を実行することができる。
【図面の簡単な説明】
【００３０】
【図１】本発明の一実施形態における画像形成装置の概略的な機構構成を示す図である。
【図２】同じく、画像形成システムの機能ブロックを示す図である。
【図３】同じく、ジョブ出力時の操作画面の例を示す図である。
【図４】同じく、ジョブ出力時のジョブ出力方法選択画面を示す図である。
【図５】同じく、ジョブ出力時のシート指定操作画面を示す図である。
【図６】同じく、ジョブ出力時にシート指定がされたジョブ出力方法選択画面を示す図である。
【図７】同じく、ジョブチケット編集画面を示す図である。
【図８】同じく、設定項目が制限されたジョブチケット編集画面を示す図である。
【図９】同じく、指定シートによる出力を行う手順を示すフローチャートである。
【図１０】同じく、綴じ処理判定の手順を示すフローチャートである。
【図１１】同じく、ジョブモードに小冊子が設定されている場合、小冊子をどのように設定するかを決める手順を示すフローチャートである。
【図１２】同じく、ジョブモードにページスタンプが設定されている場合、ページスタンプをどのように設定するかを決める手順を示すフローチャートである。
【図１３】同じく、ジョブモードに不要タブ排紙が設定されている場合、不要タブをどのように設定するかを決める手順を示すフローチャートである。
【図１４】同じく、内側オフセット（イメージクリーピング）時のシフト量を説明する図である。
【図１５】同じく、タブ紙の一例を示す図である。
【図１６】同じく、不要タブ排紙を説明する図である。
【発明を実施するための形態】
【００３１】
以下に、本発明の一実施形態を添付図面に基づいて説明する。
図１は、画像形成装置１全体の中央断面図であり、機械的な構成を示している。以下に、その構成を説明する。
画像形成装置１は、装置本体１０の前段側に給紙装置２０が接続され、装置本体１０の後段側に後処理装置（ＦＮＳ）３０が接続されたものである。画像形成装置１では、各装置間で用紙の搬送が可能になっているとともに、互いに通信可能になっている。用紙は、転写媒体に相当する。なお、本発明では、用紙以外の種類として布などを転写媒体として用いてもよい。
なお、画像形成装置１は、後処理装置（ＦＮＳ）３０を含まないものであってもよく、装置本体１０に給紙装置２０を含まない構成で画像形成装置が構成されるものであってもよく、給紙装置２０を含むものであってもよい。
【００３２】
装置本体１０では、その上部側に、ＣＣＤを含むスキャナー部１３０（図２示）、流し込みｔｙｐｅ自動原稿給送装置（ＡＤＦ）１３５が設けられており、プラテンガラス１３７またはＡＤＦ原稿読み取り用スリットガラス１３８を通して原稿の画像読取が可能になっている。
上記したスキャナー部１３０、流し込みｔｙｐｅ自動原稿給送装置（ＡＤＦ）１３５、プラテンガラス１３７、ＡＤＦ原稿読み取り用スリットガラス１３８などにより、画像読込部が構成されている。
【００３３】
また、装置本体１０の上部側で、プラテンガラス１３７が位置しない箇所に、タッチパネルからなる操作部１４０が設けられて操作者による操作および情報の表示が可能になっている。操作部１４０は、操作部を構成するとともに本発明の表示部を兼用している。なお、本発明としては、操作部と表示部とを別体で構成することも可能であり、操作部１４０は、タッチパネル以外のものであってもよい。
【００３４】
装置本体１０の下部側には、複数の給紙トレイ１４５（図では３段）が配置され、さらに装置本体１０に付設するようにして、給紙トレイを有する給紙装置２０が配置されている。
装置本体１０内には、給紙トレイや給紙装置２０から給紙される用紙を搬送する搬送路１４６が設けられており、装置本体１０内の搬送路１４６途中に、帯電器１５２、ＬＤ１５３、感光体１５４、現像器１５５、転写部１５６、定着器１５７、クリーニング装置１５８などで構成される画像形成部１５０が設けられている。また、給紙装置２０にはそれぞれ給紙された用紙を搬送して装置本体１０内に導入する搬送路（図示しない）が設けられている。さらに、後処理装置（ＦＮＳ）３０では、画像が印刷された用紙を搬送して後処理を行うことなく、または後処理を行って排紙をする。
【００３５】
画像形成部１５０では、感光体１５４の周囲に、帯電器１５２、現像器１５５、転写部１５６が、配置されている。感光体１５４は、像担持体に相当する。帯電器１５２は、画像書込み前に感光体１５４の表面を一様に帯電する。ＬＤ１５３は、表面が一様に帯電された感光体１５４に半導体レーザを照射することにより感光体１５４に静電潜像を形成する。現像器１５５は、ＬＤ１５３によって感光体１５４に形成された静電潜像をトナー材によって現像する。
【００３６】
現像処理によって感光体１５４にトナー画像が形成される。転写部１５６は、給紙トレイ１４５や給紙装置２０から搬送されてきた用紙に感光体１５４のトナー画像を転写する。トナー画像が転写された用紙は、感光体１５４から分離されて定着器１５７に搬送される。感光体１５４に残留したトナー材は、クリーニング装置１５８によって除去される。
【００３７】
定着器１５７は、搬送された用紙を加熱することにより用紙の表面側に転写されたトナー画像を定着する。定着処理が施された用紙は、片面印刷の場合には装置本体１０の側方に位置する後処理装置（ＦＮＳ）３０にそのまま搬送される。
後処理装置（ＦＮＳ）３０では、所望により、ステープル、パンチ、中折りなどの後処理が行われる。
一方、両面印刷の場合には、定着後の用紙がスイッチバックされて当該用紙の裏面側に画像形成部１５０で所定の画像が転写される。そして、両面に画像が形成された用紙は定着後に後処理装置（ＦＮＳ）３０に搬送される。
【００３８】
装置本体１０には、装置本体１０を制御する制御部１００を有している。制御部１００は、ＣＰＵと、ＣＰＵ上で実行されるプログラムと、を備えており、さらにプログラムや動作パラメーター、画像形成装置の稼働記録などを格納する記憶部を有している。また、制御部１００は、給紙装置２０や後処理装置（ＦＮＳ）３０を制御することができる。
【００３９】
次に、上記画像形成装置１の基本的動作について説明する。
先ず、装置本体１０において画像データを蓄積する手順について説明する。装置本体１０において、スキャナー部１３０で画像を読み取り画像データを生成する場合について説明する。スキャナー部１３０において原稿から画像を光学的に読み取る。この際には、制御部１００から指令を受ける。原稿の読み取りは、流し込みｔｙｐｅ自動原稿給送装置（ＡＤＦ）１３５によって原稿を自動給送しつつ行ってもよく、また、プラテンガラス１３７上に原稿を置いて行ってもよい。
【００４０】
制御部１００は、操作部１４０による操作（読み取り指示やコピー指示）に基づいてスキャナー部１３０への指令を発行する。スキャナー部１３０で読み取られた画像は、データ処理がなされ、データ処理された画像データは、記憶部に格納される。
この他に画像データは、ネットワークを介して装置本体１０に入力されることもある。上記画像データとしては、例えば外部機器などのアプリケーションプログラム等により生成されたものなどが挙げられる。画像データの生成方法は特に限定されるものではない。
【００４１】
画像形成装置１で画像出力を行う場合、すなわち複写機やプリンターとして使用する場合、帯電部１５２で感光体１５４を帯電させ、記憶部に格納された画像データを、画像形成部１５０のＬＤ１５３によって、感光体１５４に書き込みを行う。
画像形成部１５０では、感光体１５４に書き込まれた潜像が現像器１５５でトナー像として現像され、該トナー像が転写部１５６で搬送路１４６によって供給される用紙に転写され、定着器１５７で定着がなされる。感光体１５４では、トナー像が用紙転写された後、クリーニング装置１５８によって残留トナーが除去される。
【００４２】
なお、この実施形態では、モノクロの画像形成を前提にして説明しているが、各色（例えば、シアン、マゼンタ、イエロー、ブラック）毎に感光体（像担持体）や中間転写部（像担持体）を備える画像形成装置としたものであってもよい。
画像形成がなされた用紙は、搬送路を経て後処理装置（ＦＮＳ）３０に送られて、後処理設定に従って後処理装置（ＦＮＳ）３０で所定の後処理が行われる。また、後処理が行われない場合、そのまま後処理装置（ＦＮＳ）３０で用紙が排出される。
【００４３】
次に、画像形成装置１を含む画像形成システムにおける機能的な説明を図２のブロック図に基づいて行う。
画像形成装置１は、主要な構成として、制御ブロック１１０とスキャナー部１３０と操作部１４０とプリンター部１５９とを有するコピア本体と、ネットワーク３を通して外部機器（ＰＣ）４や管理装置５との間で入出力される画像データを処理する画像処理部（プリント＆スキャナーコントローラー）１６０とを備えている。
【００４４】
制御ブロック１１０は、ＰＣＩバス１１２を有しており、ＰＣＩバス１１２は制御ブロック部１１０内でＤＲＡＭ制御ＩＣ１１１に接続されている。また、ＰＣＩバス１１２には、ＨＤＤ１２７が接続されている。ＨＤＤ１２７では、画像データの格納などをすることができる。
【００４５】
さらに制御ブロック１１０には、画像制御ＣＰＵ１１３を備えており、該画像制御ＣＰＵ１１３に前記ＤＲＡＭ制御ＩＣ１１１が接続されている。また、画像制御ＣＰＵ１１３には、不揮発メモリ１１５が接続されている。該不揮発メモリ１１５には、上記画像制御ＣＰＵ１１３を動作させるためのプログラムや画像形成装置１の設定データ、プロセス制御パラメーターなどが格納されている。
【００４６】
画像制御ＣＰＵ１１３は、画像形成装置１の全体を制御し、また画像形成装置１全体の状態把握を行うものであり、ジョブの管理、用紙の搬送制御、画像形成制御、通信制御などを行う。画像制御ＣＰＵ１１３は、制御部１００として機能し、本発明の制御部に相当する。画像制御ＣＰＵ１１３では、前記制御はプログラムの動作によって実行される。このプログラムは、本発明の画像形成制御プログラムに相当する。プログラムは、記憶媒体に格納されて持ち運びされて画像形成装置に導入されるものであってもよい。
【００４７】
前記スキャナー部１３０は、光学読み取りを行うＣＣＤ１３１と、スキャナー部１３０全体の制御を行うスキャナー制御部１３２とを備えている。スキャナー制御部１３２は、前記画像制御ＣＰＵ１１３とシリアル通信可能に接続されており、画像制御ＣＰＵ１１３による制御を受ける。なお、スキャナー制御部１３２は、ＣＰＵやこれを動作させるプログラムなどによって構成することができる。前記ＣＣＤ１３１で読み取った画像データは、読み取り処理部１１６でデータ処理がなされる。
【００４８】
前記操作部１４０は、タッチパネル式のＬＣＤ１４１と、操作部制御部１４２とを備えており、上記ＬＣＤ１４１と操作部制御部１４２とが接続され、該操作部制御部１４２と前記画像制御ＣＰＵ１１３とがシリアル通信可能に接続されている。該構成によって操作部１４０の制御が画像制御ＣＰＵ１１３によって行われる。なお、操作部制御部１４２は、ＣＰＵやこれを動作させるプログラムなどによって構成することができる。
【００４９】
操作部１４０では、画像形成装置１における設定や動作指令などの動作制御条件の入力が可能となっている。さらに設定内容、機械状態、情報の表示等が可能になっており、上記画像制御ＣＰＵ１１３により制御される。この操作部１４０によって、所定の操作などを行うことができる。例えば、ジョブの全体を出力するか、指定したシートの出力を行うかを設定することができる。さらに、指定したシートを出力する場合、差し替え用として使用するかを設定することができる。また、指定したシートを差し替え用として出力する場合、差し替え用として出力する場合と異なる制御内容で制御するかを設定できるようにしてもよい。異なる制御内容で制御するかは、初期設定によって設定されているものであってもよい。
【００５０】
また、ＤＲＡＭ制御ＩＣ１１１は、圧縮メモリ１２１とページメモリ１２２とからなる画像メモリ（ＤＲＡＭ）１２０に接続されている。該画像メモリ（ＤＲＡＭ）１２０には、前記スキャナー部１３０で取得した画像データやネットワーク３を通して取得した画像データがジョブデータとして格納される。上記のように画像メモリ（ＤＲＡＭ）１２０は、画像データの記憶領域であり、印刷するジョブの画像データを格納する。また、上記ＤＲＡＭ制御ＩＣ１１１によって複数のジョブに関する画像データを画像メモリ（ＤＲＡＭ）１２０に記憶させることができる。すなわち、画像メモリ（ＤＲＡＭ）１２０には予約されたジョブの画像データの格納も可能である。また、画像データを含むジョブデータは、ＨＤＤ１２７に格納することもできる。
【００５１】
ＤＲＡＭ制御ＩＣ１１１には、画像データを圧縮する圧縮ＩＣ１１８と、圧縮された画像データを伸長する伸長ＩＣ１２５が接続されている。伸長ＩＣ１２５には書き込み処理部１２６が接続されている。該書き込み処理部１２６は、プリンター部１５９のＬＤ１５２に接続され、該ＬＤ１５２の動作に用いられるデータの処理を行う。ＬＤ１５２は、各色用のＬＤを総称するものである。また、プリンター部１５９は、画像形成部１５０や搬送経路１４６を含む搬送部を制御する。
【００５２】
プリンター部１５９には、プリンター部１５９全体を制御するプリンター制御部１５１を備えており、該プリンター制御部１５１は、前記した画像制御ＣＰＵ１１３に接続されて制御を受ける。すなわち、画像制御ＣＰＵ１１３から与えられるパラメーターに従い、プリント動作の開始／停止を行う。プリンター制御部１５１には、後処理装置（ＦＮＳ）３０に設けられた後処理装置制御部３００が制御可能に接続されており、後処理装置制御部３００は、画像制御ＣＰＵ１１３の指令によってプリンター制御部１５１を介して後処理の制御を行うことができる。
【００５３】
また、前記ＤＲＡＭ制御ＩＣ１１１に接続された前記ＰＣＩバス１１２には、前記した画像処理部（プリント＆スキャナーコントローラー）１６０のＤＲＡＭ制御ＩＣ１６１が接続されている。画像処理部（プリント＆スキャナーコントローラー）１６０では、ＤＲＡＭ制御ＩＣ１６１に画像メモリ１６２が接続されている。また、画像処理部（プリント＆スキャナーコントローラー）１６０では、前記ＤＲＡＭ制御ＩＣ１６１にコントローラー制御ＣＰＵ１６３が接続されており、ＤＲＡＭ制御ＩＣ１６１に、ＬＡＮインターフェース１６５が接続されている。ＬＡＮインターフェース１６５は、ネットワーク３に接続されている。
【００５４】
ネットワーク３には、外部機器（ＰＣ）４や管理装置５などが接続されており、ＬＡＮインターフェース１６５を介して画像形成装置１との間で画像データの送受信を行ったり、管理装置５による管理データの送受信を行ったりすることができる。
管理装置５は、画像形成装置１の管理を行うことができ、画像形成管理装置として機能する。管理装置５には、管理制御部５００と、管理装置表示部５１０と管理装置操作部５２０とを有している。表示部と操作部とは、タッチパネルなどによって共用するようにしてもよい。管理制御部５００は、ＣＰＵやＣＰＵ上で実行されるプログラムなどによって構成することができる。ＬＡＮインターフェース１６５は、通信部に相当し、通信部は、外部機器などと画像形成装置１間で通信を行うことを可能にする。
【００５５】
次に、上記画像形成装置１の基本的動作について説明する。
先ず、画像形成装置１において画像データを蓄積する手順について説明する。
スキャナー部１３０で原稿の画像を読み取り、画像データを生成する場合、スキャナー部１３０において原稿からＣＣＤ１３１により原稿の画像を光学的に読み取る。この際には、画像制御ＣＰＵ１１３から指令を受けるスキャナー制御部１３２によってＣＣＤ１３１の動作制御を行う。ＣＣＤ１３１で読み取られた画像は、読み取り処理部１１６でデータ処理がなされ、データ処理された画像データは、圧縮ＩＣ１１８において所定の方法によって圧縮され、ＤＲＡＭ制御ＩＣ１１１を介して圧縮メモリ１２１やＨＤＤ１２７に格納される。圧縮メモリ１２１やＨＤＤ１２７に格納された画像データは、画像制御ＣＰＵ１１３によってジョブとして管理することができる。ジョブの管理では、予約ジョブとして保存することができる。
【００５６】
画像データを外部から取得する場合、例えば、外部機器（ＰＣ）４からネットワーク３を通して送信される画像データは、コントローラー制御ＣＰＵ１６３で制御されるＬＡＮインターフェース１６５を介してＤＲＡＭ制御ＩＣ１６１により画像メモリ１６２に格納される。画像メモリ１６２のデータは、ＤＲＡＭ制御ＩＣ１６１、ＰＣＩバス１１２、ＤＲＡＭ制御ＩＣ１１１を介してページメモリ１２２に一旦格納される。ページメモリ１２２に格納されたデータは、ＤＲＡＭ制御ＩＣ１１１を介して圧縮ＩＣ１１８に順次送られて圧縮処理され、ＤＲＡＭ制御ＩＣ１１１を介して圧縮メモリ１２１やＨＤＤ１２７に格納され、上記と同様に画像制御ＣＰＵ１１３による管理がなされる。
【００５７】
画像形成装置１で画像出力を行う場合、すなわち複写機やプリンターとして使用する場合、圧縮メモリ１２１やＨＤＤ１２７に格納された画像データを、ＤＲＡＭ制御ＩＣ１１１を介して伸長ＩＣ１２５に送出して、画像データを展開し、書き込み処理部１２６にて繰り返しＬＤ１５２に展開することで、用紙に画像データを印字している。
【００５８】
複写機として使用する場合、操作部１４０上で設定された印刷条件（プリントモード）等の情報を通知し、画像制御ＣＰＵ１１３で設定情報を作成する。作成された設定情報は画像制御ＣＰＵ１１３内のＲＡＭに格納することができる。
プリンターとして用いる場合、印刷条件は、外部機器（ＰＣ）４内のプリンタドライバで設定される。ここで設定された印刷条件は、画像と同様に、外部機器（ＰＣ）４→  ＬＡＮ  ＩＦ１６５→  画像メモリ１６２→  ＤＲＡＭ制御ＩＣ１６１（コントローラー）→ＤＲＡＭ制御ＩＣ１１１（本体）→  ページメモリ１２２に格納される。
【００５９】
また、プリンター部１５９では、画像制御ＣＰＵ１１３の指令を受けたプリンター制御部１５１によって各部の制御が行われる。画像形成部１５０では各感光体１５４に書き込まれたトナー像が中間転写ベルトに転写された後、給紙装置２０や給紙トレイ１４５によって供給される用紙に転写され、定着される。画像形成がなされた用紙は、下流側の後処理装置（ＦＮＳ）３０に搬送されて必要により後処理が行われる。
【００６０】
さらに、画像形成装置１には、ネットワークに接続された画像形成装置の管理を行うことができる管理装置５が接続されている。管理装置５は、管理制御部５００を有しており、管理制御部５００の動作によって画像形成装置を管理することができる。
管理制御部５００は、ＣＰＵやこれを動作させるプログラム、記憶部などによって構成することができる。さらに、管理装置５には、前記したように管理装置表示部５１０、管理装置操作部５２０を有している。
【００６１】
管理制御部５００は、画像形成装置１に対し画像形成制御を行うことができる。管理制御部５００では、全シートの出力と、指定されたシートの出力の実行とを画像形成装置１に対し指示できるようにしてもよく、指定された用紙を差し替え媒体として出力する指示を行うようにしてもよい。さらには、管理制御部５００は、指定されたシートの出力の指示を行う場合、指定された用紙を差し替え媒体として出力するか否かによって、出力制御の指示内容を変更できるようにしてもよい。管理制御部５００で画像形成装置を管理する際に実行されるプログラムは、本発明の画像形成制御プログラムに相当する。管理装置５としては、管理サーバ、コンピュータ、端末装置、携帯電話、スマートフォンなどによって構成することができる。管理装置５では、これらの指示とともに、ジョブデータを画像形成装置１に送信するものであってもよく、また、指示のみを行うものであってもよい。
【００６２】
次に、ジョブの出力を行う手順を説明する。
図３は、操作部１４０に表示された操作画面１４００を示している。この画面では、ジョブリスト画面１４０１において一時保存ジョブされている一時保存ジョブリスト１４０２が表示されている。
【００６３】
一時保存ジョブリスト１４０２では、ＨＤＤ１２７などに一時的に保存されているジョブが表示される。また、画像形成装置１外の装置からジョブデータを受けてジョブリストを表示するようにしてもよく、画像形成装置１外の装置からジョブリストデータを受けてもよい。さらには、画像形成装置１のジョブデータと画像形成装置１外のジョブデータとを合わせてジョブリストとして表示するものであってもよい。
ジョブリスト画面１４０１には、出力釦１４０３が押下できるように表示されている。
【００６４】
この例では、ジョブＡが表示されており、ユーザーがこのジョブＡの表示領域を押下して選択し、出力釦１４０３を押下すると、ジョブＡが選択されて図４に示す出力方法選択画面１４１０がポップアップ表示される。
【００６５】
図４は、ジョブの出力が操作された際に操作画面１４００上にポップアップ表示される出力方法選択画面１４１０を示すものである。
出力方法選択画面１４１０では、全シート釦１４１１とシート指定釦１４１２とが押下可能に表示されており、いずれかを選択して押下できる。さらに、出力方法選択画面１４１０には、通常釦１４１３、ウェイト釦１４１４、プルーフ釦１４１５がそれぞれ押下可能に表示されており、これらの一つを択一的に選択して押下することができる。
【００６６】
出力方法選択画面１４１０にはＯＫ釦１４１６とキャンセル釦１４１７とが押下可能に表示されている。全シート釦１４１１が選択され、通常釦１４１３が選択された状態でＯＫ釦１４１６が押下されると印刷が開始される。
また、シート指定釦１４１２が選択されている状態で、シート指定がされないでＯＫ釦１４１６が押下されると、図５に示すシート指定操作画面１４２０がポップアップ表示される。
一方、キャンセル釦１４１７が押下されると、入力された操作内容がキャンセルされる。
図４の操作画面１４００では、全シート釦１４１１と通常釦１４１３とが選択されて押下されている状態を示している。
【００６７】
図５は、操作画面１４００上にポップアップ表示されたシート指定操作画面１４２０を示している。
シート指定操作画面１４２０では、分割用途ラジオボタン１４２１と差し替え用途ラジオボタン１４２２とが択一的に選択できるように表示されている。いずれかがデフォルトで選択されるように設定してもよい。
【００６８】
また、シート指定操作画面１４２０には、画面の下方側に入力部１４２４Ａが設けられており、入力部１４２４Ａに対し入力を行うために、矢印キーやコンマ釦を備えるテンキー釦群１４２３が押下可能に表示されている。また、テンキー釦群１４２３の入力結果を表示する入力表示部１４２４Ｂを有している。この図では、入力表示部１４２４Ｂにおいて、２，４−５のページが指定されていることが示されている。
また、シート指定操作画面１４２０では、ＯＫ釦１４２５と、キャンセル釦１４２６とが押下可能に表示されている。
【００６９】
さらに、シート指定操作画面１４２０では、入力表示部１４２４Ｂの下方側にプレビュー部１４２７が設けられ、プレビュー部１４２７の左側に表釦１４２８Ａと裏釦１４２８Ｂとが押下可能に表示されている。
ユーザーは、図５のプレビュー部１４２７を参照しながら自分が印刷したいシートを入力することができる。   
【００７０】
図５の例では、プレビュー画面下のテキストボックスに「２」を入力することで２シート目のオモテ面がプレビュー部１４２７に表示される。  
裏釦１４２８Ｂを押すと、２シート目のウラ面が表示され、表釦１４２８Ａを押すと、２シート目のオモテ面が表示される。デフォルトでは、オモテ面を設定しておく。
もし、差し替えたいシートがある場合は、テンキー釦群１４２３を操作し、シート指定することができる。   
図５の例では、「２，４−５」と入力することで、２シート目、４シート目、５シート目の計３枚のシートが出力される。
ユーザーは、シート指定入力が完了後、ＯＫ釦１４２５を押すと、図６の出力方法選択画面１４１０がポップアップ表示される。キャンセル釦１４２６が押下されると、入力内容がキャンセルされる。
【００７１】
図６は、シート指定がされて操作画面１４００上にポップアップ表示された出力方法選択画面１４１０を示している。シート指定釦１４１２の下方側には指定シート表示部１４１８が設けられており、シート指定がされた番号が表示されている。その他の表示は、図４と同様である。
シートの指定がされ、通常釦１４１３が選択された状態で、ＯＫ釦１４１６が押下されると、指定されたシート、この例では、２、４、５シート目が印刷される。
【００７２】
また、シートの指定がされ、ウェイト釦１４１４またはプルーフ釦１４１５が選択された状態で、ＯＫ釦１４１６が押下されると、ジョブチケット編集画面に遷移する。
この場合、ウェイト釦１４１４が選択されている場合、ジョブチケット編集画面が表示され、ジョブモードを確認後、指定されたシートが印刷される。   
また、プルーフ釦が選択された場合、ジョブチケット編集画面が表示され、指定されたシートの１部が同時に印刷され、ジョブモードおよび出力結果を確認後、指定されたシートが印刷される。
【００７３】
図７、８は、前記したジョブチケット編集画面を示すものである。
図７のジョブチケット編集画面１４３０は、図５のシート指定操作画面１４２０で分割用途ラジオボタン１４２１が押下されている場合に表示される。ジョブチケット編集画面１４３０では、全ての設定を操作することができる。ユーザーは、ジョブチケット編集画面１４３０でジョブモードを最終確認し、スタートハードウェアキーを押すことで、印刷が開始される。ジョブモードは、全ページ出力時シート情報に相当する。
【００７４】
一方、図８のジョブチケット編集画面１４４０は、図５のシート指定操作画面１４２０で差し替え用ラジオボタン１４２２が押下されている場合に表示される。ジョブチケット編集画面１４４０では、設定部数入力部１４４１では部数入力を行えるものの、設定部数入力部１４４１以外は操作を行うことができずグレーアウトされている。
【００７５】
次に、指定シートによる出力を行う手順を図９のフローチャートに基づいて説明する。なお、以下の手順は、制御部の制御によって実行される。制御部では、本発明の画像形成制御プログラムが実行される。
出力方法選択画面１４１０で、通常釦１４１３が選択されている状態でユーザーがＯＫ釦１４１６押下すると、図９に示すフローチャートのメインフローが開始される。
【００７６】
フローが開始されると、先ず、綴じ処理判定がなされる（ステップＳ１０１）。綴じ処理判定の詳細は、図１０のフローチャートで説明する。
次に、小冊子モードの内側オフセット判定を行う（ステップＳ１０２）。小冊子モードの内側オフセット判定の詳細は、図１１のフローチャートで説明する。
次に、ページスタンプ判定を行う（ステップＳ１０３）。ページスタンプ判定の詳細は、図１２のフローチャートで説明する。
次に、不要タブ排紙判定を行う（ステップＳ１０４）。不要タブ排紙判定の詳細は、図１３のフローチャートで説明する。
【００７７】
本実施形態のメインフローでは、出力方法が、通常、ウェイト、プルーフのいずれかであるかが判定される（ステップＳ１０５）。
出力方法が通常である場合（ステップＳ１０５、通常）、ジョブモードに基づき出力を行い（ステップＳ１０９）、その後、手順を終了する。
【００７８】
出力方法がウェイトまたはプルーフの場合（ステップＳ１０６）、ジョブモードを確認するための図７または図８のジョブチケット編集画面を表示し（ステップＳ１０６）、キー操作待ち状態になり（ステップＳ１０７）、操作されたキーを判定する（ステップＳ１０８）。ジョブチケットには、全ページ時シート情報が含まれている。
ユーザーがスタートハードウェアキーを押した場合、キー操作がスタートキーであると判定され（ステップＳ１０８、スタート）、ジョブモードに基づき出力し（ステップＳ１０９）、その後、手順を終了する。
【００７９】
ユーザーが設定部数ボタンを押した場合、設定部数のキー操作と判断され（ステップＳ１０８、設定部数）、設定部数変更後、ステップＳ１０７に戻って再びキー操作待ち状態になる。ユーザーがキャンセルハードウェアキーを押した場合、キャンセルキー操作と判断され（ステップＳ１０８、キャンセル）、手順を終了する。
【００８０】
次に、綴じ処理判定の手順を図１０のフローチャートに基づいて説明する。なお、以下の手順は、制御部の制御によって実行される。制御部では、本発明の画像形成制御プログラムが実行される。
このフローチャートでは、ジョブモードに綴じ処理が設定されている場合、綴じ処理をどのように設定するかを決める。 
先ず、ジョブに綴じ処理が設定されているかどうかを判断する（ステップＳ２０１）。
綴じ処理が設定されている場合（ステップＳ２０１、Ｙｅｓ）、ステップＳ２０２へ遷移する。綴じ処理が設定されていない場合（ステップＳ２０１、Ｎｏ）、手順を終了する。
【００８１】
ステップＳ２０２では、使用用途が、分割用途または差し替え用途のいずれが選択されているかを判断する。使用用途が差し替え用途の場合（ステップＳ２０２、差し替え用途）、ステップＳ２０３へ遷移する。分割用途の場合（ステップＳ２０２、分割用途）、ステップＳ２０５へ遷移する。
ステップＳ２０３では、ジョブにサブセットステープルが設定されているかどうかを判断する。ジョブにサブセットステープルがセットされている場合（ステップＳ２０３、Ｙｅｓ）、ステップＳ２０４へ遷移する。ジョブにサブセットステープルがセットされていない場合（ステップＳ２０３、Ｎｏ）、ステップＳ２０７へ遷移する。
【００８２】
ステップＳ２０４では、ユーザーが指定したシートの範囲とジョブに設定されたサブセットステープルの範囲が一致しているかどうか判断する。シートの範囲とジョブに設定されたサブセットステープルの範囲が一致している場合（ステップＳ２０４、Ｙｅｓ）、一致したサブセットステープル以外のシートの綴じ処理を解除する（ステップＳ２０６）。例えば、ジョブにサブセットステープルが１〜２，４〜５シートと２つのサブセットステープルが設定されており、ユーザーが「２，４−５」とシートを指定した場合、１〜２シートのサブセットステープル設定は解除するが、４〜５シートのサブセットステープル設定は解除せずに、サブセットステープルとして出力する。その後、手順を終了する。
【００８３】
シートの範囲とジョブに設定されたサブセットステープルの範囲が一致していない場合（ステップＳ２０４、Ｎｏ）、ユーザーが指定したシート番号に基づき、シートの綴じ処理を解除し（ステップＳ２０７）、その後、手順を終了する。
例えば、ジョブに中綴じが設定されており、ユーザーが「２，４−５」とシートを指定した場合、２，４，５シート目を１セットとして中綴じするように設定する。
ステップＳ２０５では、指定されたシートに綴じ処理を設定し、その後、手順を終了する。
【００８４】
図１１に示すフローチャートでは、ジョブモードに小冊子が設定されている場合、小冊子をどのように設定するかを決める。なお、以下の手順は、制御部の制御によって実行される。制御部では、本発明の画像形成制御プログラムが実行される。
先ず、ジョブに小冊子が設定されているかどうかを判断する（ステップＳ３０１）。
ジョブに小冊子が設定されている場合（ステップＳ３０１、Ｙｅｓ）、ステップＳ３０２へ遷移する。ジョブに小冊子が設定されていない場合（ステップＳ３０１、Ｎｏ）、手順を終了する。
ステップＳ３０２では、ジョブに内側オフセットが設定されているかどうかを判断する。ジョブに内側オフセットが設定されている場合（ステップＳ３０２、Ｙｅｓ）、ステップＳ３０３へ遷移する。ジョブに内側オフセットが設定されていない場合（ステップＳ３０２、Ｎｏ）、手順を終了する。
【００８５】
ステップＳ３０３では使用用途は分割用途または差し替え用途のいずれが選択されているかを判断する。
差し替え用途の場合（ステップＳ３０３、差し替え用途）、ステップＳ３０４へ遷移する。
分割用途の場合（ステップＳ３０３、分割用途）、ステップＳ３０５へ遷移する。
【００８６】
ステップＳ３０４では、ジョブの全シート出力時のシート情報に基づき、オフセット処理を設定する。例えば、ジョブの全シートが１００枚存在しており、ユーザーが「２，４−５」とシートを指定した場合、１００シート出力する時の２，４，５シート目のオフセット値がそれぞれ設定される。その後、手順を終了する。
ステップＳ３０５では、指定されたシートの出力時のシート情報に基づきオフセット処理を設定する。例えば、ジョブの全シートが１００枚存在しており、ユーザーが「２，４−５」とシートを指定した場合、３シート出力する時の１，２，３シート目のオフセット値がそれぞれ設定される。その後、手順を終了する。
【００８７】
図１２に示すフローチャートでは、ジョブモードにページスタンプが設定されている場合、ページスタンプをどのように設定するかを決める。なお、以下の手順は、制御部の制御によって実行される。制御部では、本発明の画像形成制御プログラムが実行される。
本フローチャートでは、先ず、ジョブにページスタンプが設定されているかどうかを判断する（ステップＳ４０１）。
ジョブにページスタンプが設定されている場合（ステップＳ４０１、Ｙｅｓ）、ステップＳ４０２へ遷移する。ジョブにページスタンプが設定されていない場合（ステップＳ４０１、Ｎｏ）、手順を終了する。
【００８８】
ステップＳ４０２では、使用用途は、分割用途または差し替え用途のいずれが選択されているかを判断する。差し替え用途の場合（ステップＳ４０２、差し替え用途）、ステップＳ４０３へ遷移する。
分割用途の場合（ステップＳ４０２、分割用途）、ステップＳ４０４へ遷移する。
【００８９】
ステップＳ４０３では、ジョブの全シート出力時のシート情報に基づき、ページスタンプ処理を設定する。例えば、ジョブの全シートが１００枚存在しており、ユーザーが「２，４−５」とシートを指定した場合、１００シート出力する時の「２／１００」、「４／１００」、「５／１００」のような画像スタンプデータがオーバーレイされる。その後、手順を終了する。
ステップＳ４０４では、指定されたシートの出力時のシート情報に基づきページスタンプ処理を設定する。例えば、ジョブの全シートが１００枚存在しており、ユーザーが「２，４−５」とシートを指定した場合、３シート出力する時の「１／３」、「２／３」、「３／３」のような画像スタンプデータがオーバーレイされる。その後、処理を終了する。
【００９０】
図１３のフローチャートでは、ジョブモードに不要タブ排紙が設定されている場合、不要タブをどのように設定するかを決める。なお、以下の手順は、制御部の制御によって実行される。制御部では、本発明の画像形成制御プログラムが実行される。
先ず、ジョブにページスタンプが設定されているかどうかを判断する（ステップＳ５０１）。ジョブにページスタンプが設定されている場合（ステップＳ５０１、Ｙｅｓ）、ステップＳ５０２へ遷移する。ジョブにページスタンプが設定されていない場合（ステップＳ５０１、Ｎｏ）、手順を終了する。
【００９１】
ステップＳ５０２では、使用用途が、分割用途または差し替え用途が選択されているかを判断する。差し替え用途の場合（ステップＳ５０２、差し替え用途）、ステップＳ５０３へ遷移する。分割用途の場合（ステップＳ５０２、分割用途）、ステップＳ５０５へ遷移する。
ステップＳ５０３では、ジョブの全シート出力時のシート情報に基づき、不要タブ排紙の枚数を設定する。例えば、給紙トレイに１セット当たり５タブ紙が入れられており、ジョブが下記のように設定されている場合、給紙トレイに入れられた４タブ目、５タブ目は不要タブ紙として扱われる。その後、ステップＳ５０４に遷移する。
【００９２】
ステップＳ５０４では、指定されたシート範囲外のタブ紙も不要タブ紙として設定する。
例えば、上記手順の例に加えて、ユーザーが「３−５」と入力した場合、給紙トレイに入れられていた１タブ目と３タブ目も不要タブ紙として扱われる。その後、手順を終了する。
ステップＳ５０５では、指定されたシートの出力時のシート情報に基づき不要タブ排紙の枚数を設定する。例えば、上記手順３の例に加えて、ユーザーが「３−５」と入力した場合、４シート目が１タブ目となり、残りの２タブ目〜５タブ目は不要タブ紙として扱われる。その後、手順を終了する。
【００９３】
内側オフセット（イメージクリーピング）時のシフト量を図１４に基づいて具体的に説明する。
小冊子（週刊誌）出力に対して、中綴じを実施した際に、内側の紙ほど紙の厚さで外側にはみでることになるので、これを断裁した場合に、外側と内側で断裁面から画像端までの余白量が変わってしまうのを防ぐ機能である。
最外側のページ間隔に対する内側オフセットのページ間隔量を設定し、設定された値と転写紙枚数により、各ページのページ間隔量を決定する。
【００９４】
不要タブ排紙の説明を具体的に行う。
タブ紙は図１５に示すように、１セットあたりのタブ数が決められて販売されている。
図１６に示す例では、１セットあたり５タブとし、そのタブ紙をそのまま給紙トレイにセットする。ユーザーはジョブの出力前に１セットあたりのタブ数を設定しおき、「不要タブ排紙＝ＯＮ」が設定されたジョブを出力すると、不要タブ数を自動的に計算し、不必要なタブをサブトレイへ排出する。
【００９５】
図１５の例では、ジョブに表表紙、挿入紙、裏表紙のタブ紙が設定されており、給紙トレイに入れられた４タブ目、５タブ目は不要タブ紙としてサブトレイへ排出される。
不要タブ紙の枚数は以下の式によって算出することができる。
（不要タブ紙排紙枚数）＝（１セットのタブ数）−［（１部あたりの使用タブ数）／（１セットのタブ数）］の余り
【００９６】
以上、本発明について上記実施形態に基づいて説明を行ったが、本発明の範囲を逸脱しない限りは本実施形態に対する適宜の変更が可能である。
【符号の説明】
【００９７】
１    画像形成装置
１０    装置本体
２０    給紙装置
３０    後処理装置（ＦＮＳ）
１００    制御部
１１３    画像制御ＣＰＵ
１５０    画像形成部
５００    管理制御部
１４００    操作画面
１４０１    ジョブリスト画面
１４０２    一時保存ジョブリスト
１４０３    出力釦
１４１０    出力方法選択画面
１４１１    全シート釦
１４１２    シート指定釦
１４１３    通常釦
１４１４    ウェイト釦
１４１５    プルーフ釦
１４２０    シート指定操作画面
１４２１    分割用途ラジオボタン
１４２２    差し替え用途ラジオボタン
１４２３    テンキー釦群
１４２４Ａ  入力部
１４２４Ｂ  入力表示部
１４２５    ＯＫ釦
１４３０    ジョブチケット編集画面
１４４０    ジョブチケット編集画面
【図１】
0006610312.tif 000002
【図２】
0006610312.tif 000003
【図３】
0006610312.tif 000004
【図４】
0006610312.tif 000005
【図５】
0006610312.tif 000006
【図６】
0006610312.tif 000007
【図７】
0006610312.tif 000008
【図８】
0006610312.tif 000009
【図９】
0006610312.tif 000010
【図１０】
0006610312.tif 000011
【図１１】
0006610312.tif 000012
【図１２】
0006610312.tif 000013
【図１３】
0006610312.tif 000014
【図１４】
0006610312.tif 000015
【図１５】
0006610312.tif 000016
【図１６】
0006610312.tif 000017